【手続補正書】
【提出日】平成20年2月19日(2008.2.19)
【手続補正１】
【補正対象書類名】明細書
【補正対象項目名】特許請求の範囲
【補正方法】変更
【補正の内容】
【特許請求の範囲】
【請求項１】
無線通信システムにおける複数の伝送の送信電力レベルを調整する方法であって、
第1の伝送の受信された質の第１の表示を受信するステップと、
第１の伝送の送信電力レベルを第１の表示に少なくとも部分的に基づいて調整するステップと、
第２の伝送の受信された質の第２の表示を受信するステップとを含み、前記第１と第２の表示は、複数の伝送に対するフィードバックとしてシステムによって規定された複数の電力制御ビットの第１と第２の部分からそれぞれ形成されており、前記第１と第２の部分は、システムの異なる電力制御モードにしたがって異なる割合で分配され、
さらに、第２の伝送の送信電力レベルを第２の表示に少なくとも部分的に基づいて調整するステップを含む方法。
【請求項２】
前記第１の表示は第１の伝送の送信電力レベルを増大するか或いは減少するかを示す電力制御命令からなる請求項１記載の方法。
【請求項３】
前記第１と第２の伝送の送信電力レベルは前記電力制御命令に基づいていっしょに調整される請求項２記載の方法。
【請求項４】
前記第１と第２の伝送の送信電力レベル間の差は前記第２の表示に基づいて調整される請求項３記載の方法。
【請求項５】
前記電力制御命令は設定値に対する第１の伝送の受信された質の比較に基づいて生成される請求項２記載の方法。
【請求項６】
前記第１と第２の伝送に関する送信電力レベルは前記第１と第２の表示にそれぞれ単独に基づいて調整される請求項１記載の方法。
【請求項７】
前記第２の表示は第２の伝送におけるフレームが正確に或いは間違って受信されたかどうかを示す消失指標ビットからなる請求項１記載の方法。
【請求項８】
前記第２の表示は第２の伝送における受信されたフレームの質を示す質指標ビットからなる請求項１記載の方法。
【請求項９】
第３の伝送の受信された質の第３の表示を受信するステップであって、前記第３の表示は複数の伝送に対するフィードバックとしてシステムによって規定された複数の電力制御ビットの第３の部分から形成されるステップと、
第３の伝送の送信電力レベルを第３の表示に少なくとも部分的に基づいて調整するステップとをさらに含む請求項１記載の方法。
【請求項１０】
前記第１の表示は第１の電力制御サブチャネルによって受信され、前記第２の表示は第２の電力制御サブチャネルによって受信される請求項１記載の方法。
【請求項１１】
前記第１と第２の電力制御サブチャネルは電力制御チャネルを時分割多重化することによって形成される請求項１０記載の方法。
【請求項１２】
前記第１と第２の電力制御サブチャネルの結合されたビットレートは特定のビットレートに限定される請求項１０記載の方法。
【請求項１３】
前記第２の電力制御サブチャネルに割当てられたビットは統合され、より低いレートでしかしながら増大された信頼性を有して第２の伝送に対するフィードバックを形成する請求項１０記載の方法。
【請求項１４】
前記第２の伝送のフィードバックレートは、第２の伝送のフレームサイズに少なくとも部分的に基づく請求項１３記載の方法。
【請求項１５】
前記第２の伝送のフィードバックレートは一組の可能なフィードバックレートの中から選択し得る請求項１３記載の方法。
【請求項１６】
前記第２の電力制御サブチャネルは第２の伝送に関する複数のメトリクスを送信するよう動作する請求項１０記載の方法。
【請求項１７】
前記複数のメトリクスの１つは第２の伝送に関する送信電力レベルの調整に対するステップサイズを示す請求項１６記載の方法。
【請求項１８】
前記複数のメトリクスの１つはフレーム消失なしに関する第２の伝送の受信された質におけるマージンの量を示す請求項１６記載の方法。
【請求項１９】
前記無線通信システムはｃｄｍａ２０００標準或いはＷ−ＣＤＭＡ標準、或いはそれらの両方に準拠するＣＤＭＡシステムである請求項１記載の方法。
【請求項２０】
無線通信システムにおける複数の伝送の送信電力レベルを調整する方法であって、
第１の伝送を受信し処理して第１の伝送の受信された質を判断するステップと、
第１の伝送の受信された質に関する第１の表示を形成するステップと、
第２の伝送を受信し処理して第２の伝送の受信された質を判断するステップと、
第２の伝送の受信された質に関する第２の表示を形成するステップと、
第１と第２の表示を第１と第２の電力制御サブチャネルによってそれぞれ送信するステップとを含み、
前記第１と第２の表示は、複数の伝送に対するフィードバックとしてシステムによって規定された複数の電力制御ビットの第１と第２の部分からそれぞれ形成され、前記第１と第２の部分は、システムの異なる電力制御モードにしたがって異なる割合で分配される方法。
【請求項２１】
第１の伝送の受信と処理における中断の継続時間を測定するステップと、
前記中断の継続時間が特定の時間より短ければ、第１の伝送に関する送信電力レベルの増大に関する信号を送信するステップとをさらに含む請求項２０記載の方法。
【請求項２２】
前記信号を送信するステップは、前記中断の継続時間が第１の伝送のフレームの半分の期間より短いか等しいならば、実行される請求項２１記載の方法。
【請求項２３】
前記第１の伝送に関する送信電力レベルにおける増加量は前記中断の継続時間と第１の伝送におけるフレームの期間とに基づく請求項２１記載の方法。
【請求項２４】
無線通信システムにおいて使用される電力制御装置であって、
第１の伝送を受信し処理して第１の伝送に対する第１のメトリクスに関する第１の表示を提供するよう動作する信号質測定部と、
第２の伝送を受信し処理して第２の伝送に対する第２のメトリクスに関する第２の表示を提供するよう動作するデータ処理装置と、
前記信号質測定部と前記データ処理装置とに接続された電力制御処理装置であって、第１と第２の表示の伝送を第１と第２の電力制御サブチャネル上でそれぞれ指示するように動作する電力制御処理装置、とを具備し、
前記第１と第２の表示は、伝送に対するフィードバックとしてシステムによって規定された複数の電力制御ビットの第１と第２の部分からそれぞれ形成され、前記第１と第２の部分は、システムの異なる電力制御モードにしたがって異なる割合で分配される、電力制御装置。
【請求項２５】
無線通信システムにおける基地局内の電力制御装置であって、
受信された信号を受信し処理して第１の伝送の受信された質の第１の表示と第２の伝送の受信された質の第２の表示とを回復するように動作するチャネル処理装置であって、前記第１と第２の表示は、伝送に対するフィードバックとしてシステムによって規定された複数の電力制御ビットの第１と第２の部分からそれぞれ形成され、前記第１と第２の部分は、システムの異なる電力制御モードにしたがって異なる割合で分配される、チャネル処理装置と、
前記チャネル処理装置に接続され、第１と第２の表示を受信し、１またはそれ以上の命令を提供して第１と第２の伝送の送信電力レベルを調整するように動作する電力制御処理装置とを具備する、電力制御装置。
【請求項２６】
前記設定値は、第１の伝送の受信された質に基づいて調整される請求項５記載の方法。
【請求項２７】
前記設定値は、第１の伝送の受信された質が前記設定値よりも高いことに応答して上方に調整される請求項５記載の方法。
【請求項２８】
前記設定値は、第１の伝送の受信された質が前記設定値よりも低いことに応答して下方に調整される請求項５記載の方法。
【請求項２９】
前記設定値は、第１の伝送の受信された質が前記設定値よりも低いことに応答して下方に調整される請求項２７記載の方法。
【請求項３０】
設定値の調整間の期間は調整可能である請求項５記載の方法。
【請求項３１】
設定値の連続上方調整間の期間は調整可能である請求項２７記載の方法。
【請求項３２】
設定値の連続下方調整間の期間は調整可能である請求項２８記載の方法。
【請求項３３】
設定値の上方調整量は、設定値の下方調整量と無関係である請求項２９記載の方法。
【請求項３４】
無線通信システムにおける複数の伝送の送信電力レベルを調整する方法であって、
第1の伝送の受信された質の第１の表示を受信するステップと、
第１の伝送の送信電力レベルを第１の表示に少なくとも部分的に基づいて調整するステップと、
第２の伝送の受信された質の第２の表示を受信するステップとを含み、前記第１と第２の表示は、複数の伝送に対するフィードバックとしてシステムによって規定された複数の電力制御ビットの第１と第２の部分からそれぞれ形成され、前記第１と第２の部分は、システムの異なる電力制御モードにしたがって異なる割合で分配され、前記複数の電力制御ビットは、第１の表示のレートに等しいレートを有し、
さらに、第２の伝送の送信電力レベルを第２の表示に少なくとも部分的に基づいて調整するステップを含む方法。